(57)【要約】【課題】            表示装置を搭載することなく、エンドユーザーに視覚的にかつ点灯装置１の機能を損なわないように、点灯装置１の交換を報知することである。【解決手段】        ランプＬＡを点灯させる点灯回路４と、点灯時間をカウントして累積するとともに、累積カウント値ｔとして記憶する点灯計時部６と、点灯回路４を制御するとともに、電源投入時に予め設定した第１の値αと記憶部７に記憶されている累積カウント値ｔを比較し、累積カウント値ｔが第１の値α以上である時、累積カウント値ｔに応じた明滅回数ｍを決定して、点灯直後にランプＬＡをｍ回明滅させ、ランプＬＡを明滅した後はランプＬＡを点灯制御する点灯制御回路５とを備え、ランプＬＡを点灯する都度、点灯直後にランプＬＡを明滅させて、点灯装置１が寿命末期であることをエンドユーザーに報知し、ランプＬＡを明滅させた後は、ランプＬＡを通常の点灯状態にする。【選択図】          図２
2010244939.tif 000002
【特許請求の範囲】
【請求項１】
商用電源が入力され、ランプを点灯させる点灯回路と、
前記点灯回路を制御する点灯制御回路と、
前記ランプが点灯している時間をカウントして累積するとともに、カウントした値を累積カウント値として記憶する点灯計時部と、
前記点灯制御回路は、電源投入時に予め設定した第１の値と前記点灯計時部に記憶されている前記累積カウント値を比較し、前記累積カウント値が前記第１の値以上である時、前記ランプを点灯直後に明滅させ、さらに、前記ランプを明滅させる回数は、前記累積カウント値に応じて比例するものであり、前記ランプを明滅した後は前記ランプを点灯制御することを特徴とする点灯装置。
【請求項２】
前記点灯制御回路は、累積カウント値が、前記第１の値以上の予め設定した第２の値以上であるとき、点灯回路を制御してランプを点灯させないこと特徴とする請求項１に記載の点灯装置。
【請求項３】
ランプが取り付けられるランプソケットと、
前記ランプソケットが取り付けられる器具本体と、
前記器具本体に取り付けられ、前記ランプを点灯する請求項１または請求項２に記載の点灯装置と、
を備えることを特徴とする照明器具。
【発明の詳細な説明】
【技術分野】
【０００１】
本発明は、点灯装置が寿命になったときに、この点灯装置の動作を制御する技術に関するものである。
【背景技術】
【０００２】
点灯装置は交流の電源電圧を直流電圧、又は高周波電圧に変換して接続されるランプを点灯させ、制御するものである。
【０００３】
一般に、点灯装置はランプの点灯時間が長時間になると、部品及び部品をプリント基板に接合させるはんだの劣化により寿命を迎える。この際、ランプが不点灯となったり適正に点灯しなくなったりするばかりでなく、点灯装置内部の電解コンデンサにおいては安全防爆弁が開き、点灯装置から水蒸気として電解液が発生する場合があり、エンドユーザーに発煙と勘違いされる恐れがあった。
【０００４】
上述の問題を発生させないためには、点灯装置の寿命到来を判断する必要がある。その判断方法としては、実際にランプが不点灯になる、適正に点灯しなくなる、もしくは人による経験的な判断方法に頼るしかなかった。これらの方法では点灯装置の寿命を適切に判断することが難しく、代替品との交換の時期が不明確となってしまう恐れがあった。交換が早すぎれば不経済となり、遅すぎれば上述のような混乱や不便を招く恐れがあった。このことから点灯装置には製品寿命が定められているが、現実には製品寿命以上に使用され、前述した事象が発生している。よってなんらかの方法でエンドユーザーに点灯装置が寿命であることを報知し、交換を促すことが求められている。
【０００５】
そこで、従来の点灯装置においては寿命末期を判断し、人に報知する機能を備えた点灯装置が知られている。これは放電灯（ランプ）の点灯時間を積算し、一定値を超えると寿命末期と判断し、保護動作を働かせるものである。ここでいう保護動作とは点灯装置に負担がかからないようにすることであり、例えば放電灯（ランプ）に印加する電圧値を下げたり、発振を停止したりすることである。もしくは放電灯（ランプ）を明滅させたり、発光ダイオードや小型ランプ等の表示装置を使用したりして、点灯装置が寿命末期を迎えたことを人に報知する（例えば、特許文献１参照。）。
また、寿命末期に補助ランプを通常時と異なる点灯状態とすることで、点灯装置の寿命末期を人に報知するものが知られている（例えば、特許文献２参照。）。
【先行技術文献】
【特許文献】
【０００６】
【特許文献１】特開２００１−１８５３７４号公報（段落「０００７」、「０００８」、図２）
【特許文献２】特開２００６−２３６６７３号公報（段落「００１４」）
【発明の開示】
【発明が解決しようとする課題】
【０００７】
しかし、特許文献１によれば、保護動作により放電灯（ランプ）を点滅などさせて報知すると、本来の照明器具としての役割が十分に果たされず、例えばその下での作業が行えなくなる等の不便性が生じる課題があった。
【０００８】
また、特許文献２によれば、表示装置を点灯装置とは別に設置する場合は、コストや設置の手間が増すだけでなく、現在の地球環境への関心の高まりの中では、特別な装置を搭載することが省エネへの期待を損なうことにも繋がる課題があった。さらに、通常点灯するメインのランプ（例えば、蛍光灯）とは別に、補助ランプ（例えば、常夜灯）を有していない照明器具の場合では使用することはできない課題があった。
【０００９】
本発明は、上述のような課題を解決するためになされたもので、その目的は表示装置を搭載することなく、エンドユーザーに視覚的にかつ照明器具の機能を損なわないように交換を報知することである。
【課題を解決するための手段】
【００１０】
本発明に係る点灯装置は、商用電源が入力され、ランプを点灯させる点灯回路と、前記点灯回路を制御する点灯制御回路と、前記ランプが点灯している時間をカウントして累積するとともに、カウントした値を累積カウント値として記憶する点灯計時部と、前記点灯制御回路は、電源投入時に予め設定した第１の値と前記点灯計時部に記憶されている前記累積カウント値を比較し、前記累積カウント値が前記第１の値以上である時、前記ランプを点灯直後に明滅させ、さらに、前記ランプを明滅させる回数は、前記累積カウント値に応じて比例するものであり、前記ランプを明滅した後は前記ランプを点灯制御する。
【発明の効果】
【００１１】
本発明によれば、累積カウント値が予め設定した第１の値以上であるとき、ランプを点灯する都度、点灯直後にランプを明滅させて、点灯装置が寿命末期であることをエンドユーザーに報知することができ、ランプを明滅させた後は、ランプを通常の点灯状態にすることができる。
【図面の簡単な説明】
【００１２】
【図１】実施の形態１における点灯装置の回路ブロックを示す構成図である。
【図２】実施の形態１における計時カウント処理動作を示すフローチャートである。
【図３】実施の形態１における比較処理の動作を示すフローチャートである。
【図４】実施の形態１における累積カウント値と明滅回数相関を示す図である。
【図５】実施例１における照明器具の斜視図である。
【図６】実施例１における放電灯点灯装置の回路ブロックを示す構成図である。
【図７】実施例２におけるＬＥＤ点灯装置の回路ブロックを示す構成図である。
【図８】実施例３における電流点灯装置の回路ブロックを示す構成図である。
【図９】実施の形態２における累積カウント値と明滅関数相関を簡略的に示す図である。
【図１０】実施の形態３における計時カウント処理動作を示すフローチャートである。
【図１１】実施の形態３における明滅回数を決定する動作を示すフローチャートである。
【発明を実施するための形態】
【００１３】
実施の形態１．
図１は、本発明の実施の形態に係わる点灯装置のブロック構成図である。
【００１４】
点灯装置１は、商用電源ＡＣが入力され、整流する整流回路２と、この整流回路２が整流した電圧を平滑する電解コンデンサ３と、この電解コンデンサ３に接続されるとともに、負荷であるランプＬＡが接続される点灯回路４と、この点灯回路４の動作を制御する点灯制御回路５と、この点灯制御回路５に接続され、点灯制御時間を計時する点灯計時部６を備える。
【００１５】
点灯回路４は、電解コンデンサ３により平滑された平滑電圧を点灯回路４が接続されるランプＬＡに対応する電力を供給するように、電圧制御または電流制御を行ってランプＬＡを点灯する。
【００１６】
点灯制御回路５は、点灯回路４を制御し、ランプＬＡの点灯状態を制御する。例えば、ランプＬＡの点灯／消灯する制御信号や、ランプＬＡの明るさを変更する制御信号を点灯回路４に出力して制御する。
【００１７】
点灯計時部６は、点灯制御回路５に接続され、点灯制御回路５が点灯回路４を点灯制御している時間を点灯時間として計時する。また、点灯計時部６は、点灯装置１が通電していないときでも、点灯時間の積算を累積カウント値ｔとして保持できる記憶部７を有する。点灯計時部６は、例えばマイクロコンピュータで構成されている。
【００１８】
記憶部７は、点灯装置１が動作していないとき、例えば、商用電源ＡＣの供給が途絶えているときも累積カウント値を記憶するものであり、具体的には、不揮発性メモリからなる。
【００１９】
なお、記憶部７は、揮発性メモリで構成してもよいが、この場合、点灯装置１が動作していないときも累積カウント値を記憶しつづけるように、二次電池などにより揮発性メモリ内のデータを保持させる必要がある。
【００２０】
したがって、記憶部７は、不揮発性メモリであるのが望ましい。
【００２１】
次に、点灯装置の動作を説明する。
図２は、点灯制御回路５が行う制御のフローチャートである。
【００２２】
まず、点灯制御回路５に予め設定される値である定数α、β、γ、および、ｎと、変数ｍについて説明する。
それぞれ値は、点灯装置によって異なる任意の値である。
第１の値αは、点灯装置の適正交換時期が始まったことを報知する時間に対応する値である。
第２の値βは、明滅回数ｍが増加する単位時間に対応する値である。例えば、βは３００〜４００時間に対応する値であることが望ましい。
第３の値γは、寿命末期近傍に対応する値である。例えば、点灯装置が使用される使用環境、点灯装置の回路仕様、及び、点灯装置に使用される部品によって適正な値を選択して決定される。
最大明滅回数ｎは、ランプＬＡを点滅させる最大の明滅回数に対応する値であり、最大明滅回数ｎは１０回程度とすることが望ましい。
明滅回数ｍは、ランプＬＡを点滅させる明滅回数に対応する変数である。
【００２３】
次に、点灯制御回路５が制御するフローチャートについて説明する。
【００２４】
点灯制御回路５は、商用電源ＡＣの投入を検知（Ｓ１００）すると、不揮発性の記憶部７に記憶されている累積点灯時間に対応する累積カウント値ｔ（ｔ≧０）を読み込む（Ｓ２００）。
【００２５】
次に、点灯制御回路５は、累積カウント値ｔと予め定められている第１の値αと第２の値βを含む数式α＋ｍβ（ｍ＝１，２，３・・・，ｎ）とを比較処理して、明滅回数ｍを決定する（Ｓ３００）。なお、ｎは、最大明滅回数を表す。
【００２６】
次に、点灯制御回路５は、決定された明滅回数がｍ＜γかどうかを判断する（Ｓ４００）。
【００２７】
決定された明滅回数がｍ＜γではないと判断するときは、点灯回路を動作させない（Ｓ４１０）。
【００２８】
決定された明滅回数がｍ＜γであると判断するときは、点灯制御回路５は決定された明滅回数ｍが０かどうかを判断する（Ｓ５００）。
【００２９】
ｍ＝０ならば点灯開始直後に明滅を行わず、通常点灯制御を行う（Ｓ６００）。
【００３０】
ｍ≠０ならば点灯開始直後にｍ回明滅指令を行い（Ｓ５１０）、その後通常点灯制御（Ｓ６００）を行う。
【００３１】
通常点灯制御（Ｓ６００）後、点灯計時部１０は、点灯時間のカウントを開始（Ｓ７００）する。
なお、点灯計時部１０は、カウントした累積カウント値ｔは、ランプＬＡが消灯することに応じて記憶部７に記憶し、カウントを終了する。
【００３２】
図３は、累積カウント値ｔとα＋ｍβ（ｍ＝１，２，３，・・・，ｎ）の比較処理（Ｓ３００）と、決定される明滅回数ｍの詳細な制御を示すフローチャートである。
【００３３】
累積カウント値ｔとα＋ｍβの比較処理が開始される（Ｓ３０１）と、まずはｍ＝０の場合のα＋ｍβ、すなわちαと累積カウント値ｔを比較する（Ｓ３０２）。この比較の結果、ｔ＜α（＋０β）の時はｍ＝０と判定して（Ｓ３０３）、比較処理を終了する（Ｓ３０４）。
【００３４】
Ｓ３０２で累積カウント値ｔとα＋ｍβを比較した結果、α（＋０β）≦ｔとなると、次にｍ＝１のα＋ｍβ、すなわちα＋１βと累積カウント値ｔを比較する（Ｓ３０５）。この比較の結果、ｔ＜α＋１βである時は、ｍ＝１と判定して（Ｓ３０６）、比較処理を終了する（Ｓ３０４）。
【００３５】
Ｓ３０５での比較の結果、α＋１β≦ｔである場合、ｍ＝２のα＋ｍβ、すなわちα＋２βと累積カウント値ｔを比較する（Ｓ３０７）。この比較の結果、ｔ＜α＋２βである時はｍ＝２と判定して（Ｓ３０８）、比較処理を終了する（Ｓ３０４）。
【００３６】
Ｓ７００で点灯計時部１０がカウントして、累積カウント値ｔの値が加算されてα＋ｎβ≦ｔとなるとき、ｍ＝ｎのα＋ｎβと累積カウント値ｔを比較する（Ｓ３０９）。ｔ＜α＋ｎβである時はｍ＝ｎと判定して（Ｓ３１０）、比較処理を終了する（Ｓ３０３）。
【００３７】
さらにＳ７００で点灯計時部１０がカウントして、累積カウント値ｔの値が加算されて、明滅回数ｍが予め定めた第３の値γに達するまで、ｍ＝γのα＋γβと累積カウント値ｔを比較（Ｓ３１１）する。ｔ＜α＋γβである時は、明滅回数ｍをｍ＝ｎにし（Ｓ３１２）、比較処理を終了する（Ｓ３０４）。
このように、明滅回数ｍが予め定めた第３の値γに達するまでは、ｍ＝ｎとする。
しかしながらｔ＜α＋γβではない、つまり、ｔ≧α＋γβとなった場合、点灯制御回路５は、明滅回数ｍをｍ＝γにして、点灯回路４を動作させない指令を決定する（Ｓ３１３）。
ここで、点灯回路４を動作させない指令はｍ＝γ指令があるとき、図２に示すようにランプＬＡの通常点灯制御は行わない（Ｓ５１０）。
【００３８】
図５は、点灯制御回路がα＋ｍβと累積カウント値ｔを比較する処理で、累積カウント値ｔと明滅回数ｍとの関係を示す図である。
【００３９】
図５において、点滅回数ｍが、ｍ＝０のときの領域をＥ１、１≦ｍ＜ｎのときの領域をＥ２、ｍ＝ｎのときの領域をＥ３、ｍ≧γのときの領域をＥ４とする。
【００４０】
領域Ｅ１では、ランプＬＡを点灯させるとき、ランプＬＡの明滅が行われないことを示している。
領域Ｅ２では、ランプＬＡを点灯させるとき、ランプＬＡをｍ回明滅させることを示している。
領域Ｅ３では、ランプＬＡを点灯させるとき、ランプＬＡをｎ回明滅させることを示している。
領域Ｅ４では、ランプＬＡを点灯させようとしても、ランプＬＡを点灯させないことを示している。
【００４１】
この図５の領域Ｅ１〜Ｅ４をまとめると表１のようになる。
【００４２】
【表１】
2010244939.tif 000003
【００４３】
このように、第１の値α、第２の値β、第３の値γ、最大明滅回数ｎによって、ランプＬＡを明滅するようにしたので、ユーザーに点灯装置１の寿命が近づいていることを視角的に知らせることができる。
【００４４】
また、第３の値γに達すると、ランプＬＡを点灯させないようにしているので、ユーザーが点灯装置１の寿命に達していることを知らせることができ、寿命による部品の破損に至る前にユーザーが点灯装置１を交換することができ、安全性が高まる。
【００４５】
なお、γの値は、γ＝ｎとしてもよいし、γ＝ｎ＋１、γ＝ｎ＋５などとしてもよい。但し、γの値をγ＞＞ｎ（例えば、γ＝ｎ＋３０）とすると、ユーザーに点灯装置１の寿命が近づいていることを促してから（最大明滅回数ｎに達してから）点灯回路４が停止するまでの時間が長くなり過ぎ、ユーザーが点灯装置１の寿命で点灯回路４が停止したことを認識し難くなる。
【００４６】
ランプＬＡの明滅回数ｍは、表１に示すように決定されるので、βの値が３００〜４００時間に対応する値であれば、１日の点灯時間が１０時間前後とすると、算出式ｍ＝（ｔ−α）／βより約１ヶ月毎に１回明滅回数ｍが増加する。最大明滅回数ｎが１０回とすると、３００〜４００時間（βの値）と合わせて、約１年間は明滅回数ｍが１ヶ月毎に１回増加する。即ち、点灯回路４が動作しなくなる時間から逆算して、１年間明滅し、交換を促すことができる。
【００４７】
なお、βが多いと明滅開始時期が早まり、寿命末期前に交換される恐れがあり不経済である。逆に少ないとユーザーへの寿命末期の報知期間が短くなり、交換される前に不点灯に至る可能性があり不便が生じる。
【００４８】
また、最大明滅回数ｎが多いと、寿命末期になるほど明滅回数ｍが増えて、ユーザーに不快感を与え、最大明滅回数ｎが少ないと、ユーザーに点灯装置１の寿命が近づいていることを報知しにくい。従って、βは、γとの関係も考慮しながらユーザーにとって適正な値に設定する必要がある。
【００４９】
したがって、点灯装置１の寿命時間を鑑み、α、β、γ、ｎは、適正な値に設定される。
【００５０】
このように、累積カウント値ｔが予め設定した第１の値α以上であるとき、ランプＬＡを点灯する都度、点灯直後にランプＬＡを明滅させて、点灯装置１が寿命末期であることをエンドユーザーに報知して、点灯装置１の交換を促すことができる。
【００５１】
また、ランプＬＡを明滅させた後は、ランプＬＡを通常の点灯状態（通常点灯制御）とすることで、点灯装置１（照明器具）を交換するまで点灯装置１の機能を損なうことはない。
【００５２】
また、ランプＬＡが点灯している累積点灯時間が増加するにつれて、ランプＬＡの明滅する明滅回数ｍが増加するので、点灯装置１の寿命が近づいていることを視覚的に的確に報知することができる。
【００５３】
また、明滅回数ｍが、初めてｍ＝γとなったときだけ、他の明滅パターン（例えば明滅する速さを早くするなど）でランプＬＡを明滅させて、ユーザーに点灯装置１が寿命末期であることをより強く報知し、強く報知した後は、点灯回路４を動作させないようにしてもよい。
【００５４】
なお、ランプＬＡは、後述するように、放電灯やＬＥＤや電球などでもよく、点灯装置１は、用いられるランプＬＡに適した点灯回路４および点灯制御回路５で構成される。
【００５５】
実施例１．
この実施例では、実施の形態１に示す点灯装置に接続されるランプＬＡに放電灯を用いたものである。
【００５６】
図５は、本実施例における照明器具を示す斜視図であり、図６は、本実施例における点灯装置の回路ブロックを示す構成図である。
【００５７】
照明器具１００は、器具本体（図示しない）に取り付けられる反射板１０１と、反射板１０１の両端側の器具本体に取り付けられ、放電灯ＬＡ１が装着されるランプソケット１０２と、反射板１０１の内側の器具本体に取り付けられ、放電灯ＬＡ１に電力を供給する放電灯点灯装置１ａを備えている。
【００５８】
放電灯点灯装置１ａは、整流回路２と、電解コンデンサ３と、接続される放電灯ＬＡ１を点灯制御する放電灯点灯回路４ａと、この放電灯点灯回路４ａに接続されるインバータ制御回路５ａと、点灯計時部６を備える。
【００５９】
整流回路２は、商用周波数の商用電源ＡＣからの電源電圧が印加され、印加された電源電圧を整流し、電解コンデンサ３は、整流回路２が整流した直流電圧を平滑する。
【００６０】
放電灯点灯回路４ａは、電解コンデンサ３で平滑される直流電圧を高周波交流電圧に変換するインバータ回路８と、このインバータ回路８に接続され、放電灯ＬＡ１に供給する電力を制御する負荷共振回路９を備える。
【００６１】
インバータ回路８は、電解コンデンサ３により平滑された平滑電圧を高周波交流電圧に変換し、負荷共振回路９を介して変換した高周波交流電圧を放電灯ＬＡ１に供給し、放電灯ＬＡ１に高周波交流電流が流れる。
【００６２】
インバータ制御回路５ａは、インバータ回路８が発振する発振周波数などの発振状態を制御する。また、点灯計時部６が計時する時間に応じて、商用電源ＡＣの電源が投入されるときに放電灯ＬＡ１を明滅させる。
【００６３】
負荷共振回路９は、インバータ回路８が出力する高周波交流電圧と、この負荷共振回路９を構成するコンデンサ、コイルなどの共振回路特性によって、放電灯ＬＡ１に流れる高周波交流電流を制御している。
【００６４】
点灯計時部６は、インバータ制御回路５ａに接続され、インバータ制御回路５ａがインバータ回路８を点灯制御している時間を放電灯点灯時間として計時する。また、点灯計時部６は、放電灯点灯装置１ａが通電していないときでも、点灯時間の積算を累積カウント値ｔとして保持できるよう、不揮発性の記憶部７を有する。また点灯計時部６は、例えばマイクロコンピュータで構成され、放電灯点灯時間の積算値を不揮発性メモリ９に記憶させることができる。
【００６５】
インバータ制御回路５ａは、上述の図３および図４に示すフローチャートに沿って動作し、明滅回数ｍを決定して、放電灯ＬＡ１の点灯状態（商用電源ＡＣ投入時の明滅および通常点灯状態）を制御する。
【００６６】
このように放電灯ＬＡ１を電源投入直後に明滅することによって、ユーザーに寿命が近づいていることを報知することができるので、照明器具１００を分解して点検することなく放電灯点灯装置１ａの寿命をユーザーが把握でき、利便性が向上する。
【００６７】
実施例２．
この実施例では、実施の形態１に示す点灯装置に接続されるランプＬＡにＬＥＤを用いたものである。
【００６８】
図７は、本実施例における点灯装置の回路ブロックを示す構成図である。
【００６９】
点灯装置１ｂは、整流回路２と、電解コンデンサ３と、接続されるＬＥＤ  ＬＡ２を点灯制御するＬＥＤ点灯回路４ｂと、このＬＥＤ点灯回路４ｂに接続されるＬＥＤ点灯制御回路５ｂと、点灯計時部６を備える。
【００７０】
ＬＥＤ点灯回路４ｂは、接続されるＬＥＤ  ＬＡ２にほぼ一定の電流を供給するように制御する。
【００７１】
ＬＥＤ点灯制御回路５ｂは、点灯計時部６が計時する時間に応じて、商用電源ＡＣの電源が投入されるときにＬＥＤ  ＬＡ２を明滅させるように、ＬＥＤ点灯回路４ｂを制御する。
【００７２】
ＬＥＤ点灯制御回路７は、上述の図３および図４に示すフローチャートに沿って動作し、明滅回数ｍを決定して、ＬＥＤ  ＬＡ２の点灯状態（商用電源ＡＣ投入時の明滅および通常点灯状態）を制御する。
【００７３】
このようにＬＥＤ  ＬＡ２を電源投入直後に明滅することによって、ユーザーに寿命が近づいていることを報知することができるので、照明器具を分解して点検することなくＬＥＤ点灯装置１ｂの寿命をユーザーが把握でき、利便性が向上する。
【００７４】
実施例３．
この実施例では、実施の形態１に示す点灯装置に接続されるランプＬＡに白熱電球などの電球を用いたものである。
【００７５】
図８は、本実施例における点灯装置の回路ブロックを示す構成図である。
【００７６】
点灯装置１ｃは、整流回路２と、電解コンデンサ３と、接続される電球ＬＡ３を点灯制御する電球点灯回路４ｂと、この電球点灯回路４ｃに接続される電球点灯制御回路５ｂと、点灯計時部６を備える。
【００７７】
電球点灯回路４ｃは、接続される電球ＬＡ３を点灯、消灯などの点灯状態を制御する。
【００７８】
電球点灯制御回路５ｃは、点灯計時部６が計時する時間に応じて、商用電源ＡＣの電源が投入されるときに電球ＬＡ３を明滅させるように、電球点灯回路４ｃを制御する。
【００７９】
電流点灯制御回路５ｃは、上述の図３および図４に示すフローチャートに沿って動作し、明滅回数ｍを決定して、電球ＬＡ３の点灯状態（商用電源ＡＣ投入時の明滅および通常点灯状態）を制御する。
【００８０】
このように、電球ＬＡ３を電源投入直後に明滅することによって、ユーザーに寿命が近づいていることを報知することができるので、照明器具を分解して点検することなく電球点灯装置１ｃの寿命をユーザーが把握でき、利便性が向上する。
【００８１】
実施の形態２．
本実施の形態は、実施の形態１の累積カウント値と明滅回数との関係が異なるものである。
【００８２】
本実施の形態における点灯装置は、実施の形態１と同様の構成については同符号を付して説明を省略し、実施の形態１と異なる構成について説明する。
【００８３】
実施の形態１では累積カウント値ｔと明滅回数ｍは累積カウント値ｔの一定の増加に伴い一定に増加していくが、累積カウント値ｔの一定の増加に対して明滅回数ｍの増加率を変えてもよい。
【００８４】
図８は、累積カウント値の一定の増加に対して、明滅回数の増加率を変えた場合の例を簡略的に示した図である。
【００８５】
点灯装置１の寿命がまだそう近くない時は、明滅回数ｍの増加を抑制し、点灯装置１の寿命が近づいてきたら明滅回数ｍの増加を促進する。直線Ｌ１は、実施の形態１で示す累積カウント値ｔと明滅回数ｍの推移で、曲線Ｌ２は、本実施の形態で示す累積カウント値ｔと明滅回数ｍの推移である。
【００８６】
インバータ制御回路５ａが行う制御のフローチャートは、実施の形態１（図２および図３）と同様であるが、上記したように、図３に記載のβの値が一定ではなく、βの値は、明滅回数ｍが増加するにつれて、徐々に短くなっていく。
【００８７】
βは図８に示す通り、曲線Ｌ２に相当し、ランプＬＡの明滅回数ｍが加速度的に増加するので、点灯装置１の寿命がまだそう近くない時にはユーザーへの不快感を抑え、点灯装置１の寿命が近づいてきた時は、点灯装置１の早急な交換を促すことが出来る。すなわち点灯装置１が寿命に近づいていることを、より視覚的に報知することができる。
【００８８】
実施の形態３．
本実施の形態は、実施の形態１の明滅回数を決定するフローチャートが異なるものである。
【００８９】
本実施の形態における点灯装置は、実施の形態１と同様の構成については同符号を付して説明を省略し、実施の形態１と異なる構成について説明する。
【００９０】
図１０は、本実施の形態における点灯装置の動作を示すフローチャートである。
図１１は、本実施の形態における明滅回数ｍを決定するフローチャートである。
この実施の形態における明滅回数ｍを決定する動作について説明する。
ここで、フローチャートの説明の便宜上、（ｔ−α）／βで求まる値を変数ｋとする。
【００９１】
点灯制御回路５は、電源投入を検知（Ｓ１００）すると、記憶部７より累積カウント値ｔの読み込み（Ｓ２００）、明滅回数ｍの決定処理（Ｓ３００ａ）を行う。
【００９２】
明滅回数決定の決定処理が開始（Ｓ３０１ａ）されると、記憶部７から読み込んだ累積カウント値ｔと、係数αおよびβからなる数式（ｔ−α）／βにより、変数ｋを求める（Ｓ３１４）。
【００９３】
Ｓ３１４で求めた変数ｋがｋ≦０であるかを判別（Ｓ３０２ａ）する。
【００９４】
Ｓ３０２ａで変数ｋを判別した結果が、ｋ≦０であれば、明滅回数ｍを０と決定（Ｓ３０３ａ）し、明滅回数ｍの決定処理を終了（Ｓ３０４ａ）する。
【００９５】
Ｓ３０２ａで変数ｋを判別した結果が、ｋ≦０でないとき、ｋ≧γであるかを判別（Ｓ３１１ａ）する。
【００９６】
Ｓ３１１ａで変数ｋを判別した結果が、ｋ≧γであるとき、明滅回数ｍをｍ＝γと決定（Ｓ３１３）して、点灯回路４を動作させない状態にし、以後この状態を継続（Ｓ４１０）する。
【００９７】
Ｓ３１１ａで変数ｋを判別した結果が、ｋ≧γでないとき、ｋ≧ｎであるかを判別（Ｓ３０５ａ）する。
【００９８】
Ｓ３１１ａで変数ｋを判別した結果が、ｋ≧ｎでないとき、変数ｋの小数点以下を切り捨てて整数を抽出し、この抽出した整数を明滅回数ｍとして決定（Ｓ３０６ａ）し、明滅回数ｍの決定処理を終了（Ｓ３０４ａ）する。
【００９９】
Ｓ３１１ａで変数ｋを判別した結果が、ｋ≧ｎであるとき、明滅回数ｍをｍ＝ｎと決定（Ｓ３１０ａ）し、明滅回数ｍの決定処理を終了（Ｓ３０４ａ）する。
【０１００】
以降、明滅回数ｍの決定処理（Ｓ３００ａ）で決定した明滅回数ｍに基づいて、点灯処理および通常点灯制御がＳ４００〜Ｓ７００により行われる。
【０１０１】
したがって、電源投入時に累積カウント値ｔに応じてランプＬＡを明滅するようにしたので、実施の形態１と同様の効果が得られる。
【符号の説明】
【０１０２】
１  点灯装置、１ａ  放電灯点灯装置、１ｂ  ＬＥＤ点灯装置、１ｃ  電球点灯装置、２  整流回路、３  電解コンデンサ、４  点灯回路、４ａ  放電灯点灯回路、４ｂ  ＬＥＤ点灯回路、４ｃ  電球点灯回路、５  点灯制御回路、５ａ  インバータ制御回路、５ｂ  ＬＥＤ点灯制御回路、５ｃ  電球点灯制御回路、６  点灯計時部、７  記憶部、８  インバータ回路、９  負荷共振回路、１００  照明器具、１０１  反射板、１０２  ランプソケット、ＡＣ  商用電源、ＬＡ  ランプ、ＬＡ１  放電灯、ＬＡ２  ＬＥＤ、ＬＡ３  電球。
【図１】
2010244939.tif 000004
【図２】
2010244939.tif 000005
【図３】
2010244939.tif 000006
【図４】
2010244939.tif 000007
【図５】
2010244939.tif 000008
【図６】
2010244939.tif 000009
【図７】
2010244939.tif 000010
【図８】
2010244939.tif 000011
【図９】
2010244939.tif 000012
【図１０】
2010244939.tif 000013
【図１１】
2010244939.tif 000014